(57)【要約】【課題】指示部門の指示に売場の状況が加味されたＰＯＰを容易に作成することができるＰＯＰ作成装置、ＰＯＰ作成システムを提供する。【解決手段】ＰＯＰ作成装置（１０）は、サーバ装置から送信された商品情報およびＰＯＰレイアウトを含む指示データを受信する受信手段（１１、１６）と、受信した指示データに基づいてＰＯＰイメージを生成するＰＯＰ作成手段（１１、１５２）と、ＰＯＰが掲示されるべき売場を撮影して売場画像を取得する撮影手段（１８）と、撮影手段１８にて取得された売場画像にＰＯＰイメージを合成した合成画像を生成する画像合成手段（１１、１５３）と、合成画像を含む報告データを作成する報告データ作成手段（１１、１５４）と、作成された報告データをサーバ装置に送信する送信手段（１１、１６）と、を備える。【選択図】図２
2017123181.tif 000002
【特許請求の範囲】
【請求項１】
各種商品を販売する売場で掲示されるＰＯＰを作成するＰＯＰ作成装置であって、
ＰＯＰ指示部門のサーバ装置から指示された指示情報を受信して、その指示情報に含まれる複数種類のＰＯＰレイアウトのＰＯＰイメージを生成して表示するＰＯＰ表示手段と、
複数のＰＯＰレイアウトの中で任意に選択されたＰＯＰレイアウトに基づくＰＯＰを作成する際は、そのＰＯＰの作成に先立って、そのＰＯＰが実際に掲示される売場を撮影した売場画像を取得して表示し、その表示された売場画像内の任意の位置に前記選択のＰＯＰレイアウトのＰＯＰイメージを適宜合成配置することで、前記選択されたＰＯＰレイアウトによるＰＯＰが前記売場におけるＰＯＰの掲示として適切か否かをシミュレーションするための売場合成画像を表示する表示制御手段と、
前記売場合成画像を含む報告データを作成してサーバ装置に送信する送信手段と、
前記表示制御手段で表示された前記売場合成画像に基づいて、前記選択されたＰＯＰレイアウトによるＰＯＰが前記売場でのＰＯＰとして適切として判別されたことを条件にして、前記選択されたＰＯＰレイアウトに基づくＰＯＰの作成を確定し、その確定された前記選択のＰＯＰレイアウトに基づくＰＯＰを前記売場用のＰＯＰとして作成して出力する出力制御手段と、
を具備したことを特徴とするＰＯＰ作成装置。
【請求項２】
改善情報を入力する入力手段と、
を更に具備し、
前記送信手段は、前記入力手段により入力された改善情報と、改善された売場を撮影した撮影画像とを前記報告データに含めて送信する、
ことを特徴とする請求項１に記載のＰＯＰ作成装置。
【請求項３】
前記選択されたＰＯＰレイアウトによるＰＯＰが前記売場でのＰＯＰとして適切か否かを、前記売場合成画像に基づいて判別し、適切ではないと判別された場合には、前記ＰＯＰレイアウトを所望するＰＯＰレイアウトに変更する変更手段と、
を更に具備し、
前記表示制御手段は、前記変更手段で変更されたＰＯＰレイアウトのＰＯＰイメージを前記売場画像内の任意の位置に適宜合成配置することで、前記売場における前記ＰＯＰの掲示内容を変更した売場合成画像を表示する、
ことを特徴とする請求項１又は２に記載のＰＯＰ作成装置。
【請求項４】
前記出力制御手段は、前記変更手段で変更されたＰＯＰレイアウトによるＰＯＰが前記売場でのＰＯＰに適切ＰＯＰか否かを、前記売場における前記ＰＯＰの掲示内容が変更された変更後の売場合成画像に基づいて判別し、適切と判別され、且つユーザによる任意のＰＯＰ作成指示が行われた際は、前記変更手段で変更されたＰＯＰレイアウトに基づくＰＯＰを前記売場用のＰＯＰとして作成して出力する、
ことを特徴とする請求項３に記載のＰＯＰ作成装置。
【請求項５】
各種商品を販売する売場で掲示されるＰＯＰを作成するＰＯＰ作成装置のコンピュータを制御するためのプログラムであって、
前記コンピュータを、
ＰＯＰ指示部門のサーバ装置から指示された指示情報を受信して、その指示情報に含まれる複数種類のＰＯＰレイアウトのＰＯＰイメージを生成して表示するＰＯＰ表示手段、
複数のＰＯＰレイアウトの中で任意に選択されたＰＯＰレイアウトに基づくＰＯＰを作成する際は、そのＰＯＰの作成に先立って、そのＰＯＰが実際に掲示される売場を撮影した売場画像を取得して表示し、その表示された売場画像内の任意の位置に前記選択のＰＯＰレイアウトのＰＯＰイメージを適宜合成配置することで、前記選択されたＰＯＰレイアウトによるＰＯＰが前記売場におけるＰＯＰの掲示として適切か否かをシミュレーションするための売場合成画像を表示する表示制御手段、
前記売場合成画像を含む報告データを作成してサーバ装置に送信する送信手段、
前記表示制御手段で表示された前記売場合成画像に基づいて、前記選択されたＰＯＰレイアウトによるＰＯＰが前記売場でのＰＯＰとして適切として判別されたことを条件にして、前記選択されたＰＯＰレイアウトに基づくＰＯＰの作成を確定し、その確定された前記選択のＰＯＰレイアウトに基づくＰＯＰを前記売場用のＰＯＰとして作成して出力する出力制御手段、
として機能させるためのプログラム。
【発明の詳細な説明】
【技術分野】
【０００１】
この発明は、ＰＯＰを作成するＰＯＰ作成装置及びプログラムに関する。
【背景技術】
【０００２】
従来から、店舗において販促効果を高める広告手段であるＰＯＰを作成するＰＯＰ作成装置の開発が行われている。このＰＯＰは、ＰＯＰに掲載する項目、配置、文字等の書体、大きさ、間隔、修飾等の属性情報を設定し、それら設定により作成されたＰＯＰをプリンタにより紙等にカラー印刷するのが一般的であった。特許文献１では、修飾されるべき文字または文字列と、作図画面上に表示された複数種類の図形等の修飾データを選択し、修飾データに基づく修飾が施された文字が設定されるＰＯＰ文字等の修飾装置が開示されている。
【先行技術文献】
【特許文献】
【０００３】
【特許文献１】特開平１０−２４０９５７号公報
【発明の概要】
【発明が解決しようとする課題】
【０００４】
大手量販店や大手スーパー等では、上記の作成装置を用いて本部で一括してＰＯＰデータの作成を行い、データを受け取った店舗では事務所にあるコンピュータで指示されたＰＯＰデータを印刷し、売場で掲示を行なっていた。
そのため、店舗の最新情報を把握できず、売場の様子が見えずに出力を行なっており、対象商品が無い、既に掲示済みといった無駄なＰＯＰの出力や、目立たない、他の商品とレイアウトが異なるといって売場に合わないＰＯＰの作成などの問題が発生していた。
さらに、ＰＯＰ作成は事務所のコンピュータで行うため、売場に即した変更を行いたい場合は、朝の忙しい時間帯に売場を離れ、少ない台数の端末でＰＯＰ作成、印刷の順番待ちに並ばなければならないという事態も発生し時間のロスを招いていた。
【０００５】
本発明の目的は、ＰＯＰを作成する際は、そのＰＯＰが掲示される売場の状況が加味されたＰＯＰを容易に作成することができるようにすることにある。
【課題を解決するための手段】
【０００６】
請求項１は、各種商品を販売する売場で掲示されるＰＯＰを作成するＰＯＰ作成装置であって、ＰＯＰ指示部門のサーバ装置から指示された指示情報を受信して、その指示情報に含まれる複数種類のＰＯＰレイアウトのＰＯＰイメージを生成して表示するＰＯＰ表示手段と、複数のＰＯＰレイアウトの中で任意に選択されたＰＯＰレイアウトに基づくＰＯＰを作成する際は、そのＰＯＰの作成に先立って、そのＰＯＰが実際に掲示される売場を撮影した売場画像を取得して表示し、その表示された売場画像内の任意の位置に前記選択のＰＯＰレイアウトのＰＯＰイメージを適宜合成配置することで、前記選択されたＰＯＰレイアウトによるＰＯＰが前記売場におけるＰＯＰの掲示として適切か否かをシミュレーションするための売場合成画像を表示する表示制御手段と、前記売場合成画像を含む報告データを作成してサーバ装置に送信する送信手段と、前記表示制御手段で表示された前記売場合成画像に基づいて、前記選択されたＰＯＰレイアウトによるＰＯＰが前記売場でのＰＯＰとして適切として判別されたことを条件にして、前記選択されたＰＯＰレイアウトに基づくＰＯＰの作成を確定し、その確定された前記選択のＰＯＰレイアウトに基づくＰＯＰを前記売場用のＰＯＰとして作成して出力する出力制御手段と、を具備したことを特徴とする。
【０００７】
請求項２は、各種商品を販売する売場で掲示されるＰＯＰを作成するＰＯＰ作成装置であって、複数のＰＯＰの中で任意に選択されたＰＯＰを作成する際は、そのＰＯＰの作成に先立って、そのＰＯＰが実際に掲示される売場を撮影した売場画像を取得して表示し、その表示された売場画像内の任意の位置に前記選択のＰＯＰのＰＯＰイメージを適宜合成配置することで、前記選択されたＰＯＰが前記売場におけるＰＯＰの掲示として適切か否かをシミュレーションするための売場合成画像を表示する表示制御手段と、前記表示制御手段で表示された前記売場合成画像に基づいて、前記選択されたＰＯＰが前記売場でのＰＯＰとして適切と判別されたことを条件にして当該選択されたＰＯＰの作成指示を許容し、その作成指示が行われた際は前記選択のＰＯＰを前記売場用のＰＯＰとして作成して出力する出力制御手段と、を具備したことを特徴とする。
【発明の効果】
【０００８】
本発明によれば、ＰＯＰを作成する際は、そのＰＯＰが掲示される売場の状況が加味されたＰＯＰを容易に作成することができる。
【図面の簡単な説明】
【０００９】
【図１】本発明の実施形態に係るＰＯＰ作成システムを示す図である。
【図２】本発明の実施形態に係るＰＯＰ作成装置の機能構成を示すブロック図である。
【図３】本発明の実施形態に係るサーバ装置の機能構成を示すブロック図である。
【図４】指示データの構成を示す図である。
【図５】報告データの構成を示す図である。
【図６】ＰＯＰレイアウトデータの構成を示す図である。
【図７】ＰＯＰレイアウトデータのレイアウト部分に関する一例を示す図である。
【図８】ＰＯＰ作成装置によるＰＯＰ作成までのフローを示す図である。
【図９】図８に示すＰＯＰ作成装置によるＰＯＰ作成までのフローの続きを示す図である。
【図１０】ＰＯＰ作成装置により、ＰＯＰ作成後に実施される改善後報告のフローを示す図である。
【図１１】ＰＯＰ作成装置の表示画面の一例を示す図である。
【発明を実施するための形態】
【００１０】
以下、本発明の実施の形態を図面に基づいて説明する。
【００１１】
図１〜図４を参照して、本実施の形態の装置構成を説明する。先ず、図１を用いて本実施形態に係るＰＯＰ作成システム１の全体構成を説明する。図１は、本発明の実施形態に係るＰＯＰ作成システム１を示す図である。
【００１２】
ＰＯＰ作成システム１は、サーバ装置２０から送信される指示データ１００をもとにＰＯＰ作成装置１０により売場でＰＯＰを自動作成するとともに、ＰＯＰ作成の結果をサーバ装置２０に送信して報告等をすることのできるシステムである。
【００１３】
ＰＯＰ作成システム１は、ＰＯＰ作成装置１０と、サーバ装置２０とを備える。それらの機器は通信ネットワークＮを介して接続されている。
【００１４】
通信ネットワークＮは、専用線や既存の一般公衆回線を利用して構築された通信ネットワークＮであり、ＬＡＮ（Local Area Network）やＷＡＮ（Wide Area Network）等の様々な回線形態を適用することが可能である。また、通信ネットワークＮには、例えば、電話回線網、ＩＳＤＮ回線網、専用線、移動体通信、通信衛星回線、ＣＡＴＶ回線網等の各種通信ネットワーク網と、ＩＰネットワーク、ＶｏＩＰ（Voice over Internet Protocol）ゲートウェイ、インターネットサービスプロバイダ等が含まれる。
【００１５】
図２は、本発明の実施形態に係るＰＯＰ作成装置１０の機能構成を示すブロック図である。図３は、本発明の実施形態に係るサーバ装置２０の機能構成を示すブロック図である。
【００１６】
サーバ装置２０は、例えば、大手量販店や大手スーパー等の本部等に設置され、店舗の売場を改善したい商品を抽出して、その改善したい商品に関する指示データ１００を店舗に設置されているＰＯＰ作成装置２０に送信する。
【００１７】
ＰＯＰ作成装置１０は、サーバ装置２０から送信された指示データ１００を受信してＰＯＰデータを作成する。また、ＰＯＰ作成装置１０は、作成されたＰＯＰが掲示されるべき売場を撮影し、撮影された前記売場画像にＰＯＰイメージを合成して合成画像を含む報告データ２００をサーバ装置２０に送信する。ＰＯＰ作成装置１０は、売場で携帯して使用できるように、タブレット型の端末が想定される。
【００１８】
次に、図２を参照して、ＰＯＰ作成装置１０の内部の機能構成を説明する。図２に示すように、ＰＯＰ作成装置１０は、機器の全体的な制御を行うＣＰＵ（Central Processing Unit）１１と、複数の操作キーを有する入力部１２と、ＣＰＵ１１に作業用のメモリ空間を提供するＲＡＭ（Random Access Memory）１３と、表示部１４と、ＣＰＵ１１が実行する制御プログラムや制御データを格納した記憶部１５と、通信部１６と、店舗の売場等を撮影するための画像撮影部１７と、サーバ装置２０と音声による情報伝達を行うための音声入出力部１８と、を備える。ＣＰＵ１１、入力部１２、ＲＡＭ１３、表示部１４、記憶部１５、通信部１６、画像撮影部１７、音声入出力部１８、バス１９を介して接続されている。
ここで、入力部１２は、ＰＯＰ作成装置１０における改善情報を入力する入力手段として機能する。
【００１９】
ＣＰＵ１１は、ＰＯＰ作成装置１０の各部を中央制御する。ＣＰＵ１１は、各種プログラムのうち指定されたプログラムを記憶部１５から読み出してＲＡＭ１３に展開し、展開されたプログラムとの協働で各種処理を実行する。
【００２０】
表示部１４は、ＬＣＤ（Liquid Crystal Display）等で構成され、ＣＰＵ１１から入力される表示情報に応じて各種表示を行う。
【００２１】
記憶部１５は、書換式のＲＯＭ（Read Only Memory）等で構成され、各種データ及び各種プログラムを読み出し及び書き込み可能に記憶する。記憶部１５には、指示データ記憶プログラム１５１、ＰＯＰ作成プログラム１５２、画像合成プログラム１５３、報告データ作成プログラム１５４が記憶されている。また、指示データ記憶プログラム１５１を介して記憶される指示データ記憶部１５５、ＰＯＰ作成プログラム１５２で作成されたＰＯＰデータを記憶するＰＯＰデータ記憶部１５６、報告データ作成プログラム１５４で作成される報告データ２００を記憶する報告データ記憶部１５７を有する。
【００２２】
指示データ記憶プログラム１５１は、指示データ１００を記憶するプログラムである。
【００２３】
ＰＯＰ作成プログラム１５２は、ＰＯＰ編集機能とＰＯＰ作成機能を有するプログラムである。指示データ１００にて指示されたＰＯＰレイアウトに基づいてＰＯＰデータを作成、編集することができる。
ここで、ＣＰＵ１１、ＰＯＰ作成プログラム１５２は、受信した指示データ１００に基づいてＰＯＰイメージを生成するＰＯＰ作成手段として機能するとともに、ＰＯＰ編集機能によりＰＯＰレイアウトを変更するレイアウト変更手段として機能する。
【００２４】
画像合成プログラム１５３は、売場改善のためのシミュレーションプログラムであり、例えば、撮影された売場画像に作成したＰＯＰをドラッグ＆ドロップし、ＰＯＰを掲示した時のイメージをシミュレーションすること等ができる。
ここで、ＣＰＵ１１、画像合成プログラム１５３は、売場画像にＰＯＰイメージを合成した合成画像を生成する画像合成手段として機能する。
【００２５】
報告データ作成プログラム１５４は、報告データ２００を作成するためのプログラムである。報告データ２００の報告内容部分２０２は、実際に行ったＰＯＰの改善内容、その他の変更点（ＰＯＰ以外の改善点や気づいた点など）である。改善内容の中で、指示データ１００からの変更点は、自動的に報告データ２００として作成される。すなわち、報告データ作成プログラム１５４は、ＰＯＰ変更内容を、指示データ１００に含まれるＰＯＰレイアウト（元データ）と変更された後のレイアウト（現データ）を比較した差分より、自動的に報告データ２００へ反映させる。また、画像合成プログラム１５３を実行して作成されたＰＯＰイメージと売場画像との合成画像は、報告データ２００に自動的に添付される。
ここで、ＣＰＵ１１、報告データ作成プログラム１５４は、合成画像を含む報告データ２００を作成する報告データ作成手段として機能する。
【００２６】
通信部１６は、ネットワークカード等で構成され、通信ネットワークＮに接続されて、通信ネットワークＮ上サーバ装置２０との通信を行う。
ここで、通信部１６は、サーバ装置２０から指示データ１００を受信する受信手段と、作成された報告データ２００をサーバ装置２０に送信する送信手段と、して機能する。
【００２７】
音声入出部１７は、例えば、マイクロフォンとスピーカおよび所定の増幅回路、駆動回路を備え、ＰＯＰ作成装置１０とサーバ装置２０を結んだビデオ会議などでの音声通話に供される。
【００２８】
画像撮影部１８は、例えばデジタルカメラであり、ズームレンズおよび付属するズーム駆動部、合焦駆動部と、ＣＣＤ（Charge Coupled Device）やＣＭＯＳ（Complementary Metal-oxide Semiconductor）等のイメージセンサと、タイミング発生器と、ドライバ等を備え、撮影された光学像を二次元の画像信号に変換する。
画像撮影部１８は、店舗担当者が、ＰＯＰを掲示することによって改善すべき売場の画像を撮影するために供される。
ここで、画像撮影部１８はＰＯＰが掲示されるべき売場を撮影して売場画像を取得する撮影手段として機能する。
【００２９】
次いで、図３を参照して、サーバ装置２０の内部の機能構成を説明する。図３は、本発明の実施形態に係るサーバ装置２０の機能構成を示すブロック図である。
【００３０】
図３に示すように、サーバ装置２０は、機器の全体的な制御を行うＣＰＵ（Central Processing Unit）２１と、複数の操作キーを有する入力部２２と、ＣＰＵ２１に作業用のメモリ空間を提供するＲＡＭ（Random Access Memory）２３と、表示部２４と、ＣＰＵ２１が実行する制御プログラムや制御データを格納した記憶部２５と、通信部２６と、音声入出部２７とを備える。ＣＰＵ２１、入力部２２、ＲＡＭ２３、表示部２４、記憶部２５、通信部２６、音声入出部２７は、バス２８を介して接続されている。
【００３１】
ＣＰＵ２１、入力部２２、ＲＡＭ２３、表示部２４、通信部２６は、ＰＯＰ作成装置１０のＣＰＵ１１、入力部２２、ＲＡＭ１３、表示部１４、通信部１６と同様の構成であり、異なる部分を主として説明する。
【００３２】
ＣＰＵ２１は、サーバ装置２０の各部を中央制御する。ＣＰＵ２１は、各種プログラムのうち指定されたプログラムを記憶部２５から読み出してＲＡＭ２３に展開し、展開されたプログラムとの協働で各種処理を実行する。
【００３３】
記憶部２５は、ＨＤＤ（Hard Disk Drive）等で構成され、各種データ及び各種プログラムを読み出し及び書き込み可能に記憶する。記憶部２５には、ＰＯＰレイアウト作成プログラム２５１、指示データ作成プログラム２５２、売場分析・商品抽出プログラム２５３が記憶されている。また、ＰＯＰレイアウト作成プログラム２５１で作成されたＰＯＰレイアウトデータを記憶するＰＯＰレイアウトデータ記憶部２５４、指示データ作成プログラム２５２で作成される指示データ１００を記憶する指示データ記憶部２５５、ＰＯＰ作成装置１０から送信される報告データ２００を記憶する報告データ記憶部２５６を有する。
【００３４】
ＰＯＰレイアウト作成プログラム２５１は、指示データ１００に添付するＰＯＰレイアウト３００を作成するプログラムである。
指示データ作成プログラム２５２は、指示データ１００を作成するプログラムである。指示データ１００のヘッダ部分１０１と商品明細部分１０２の情報入力をアシストする。
ここで、ＣＰＵ２１と指示データ作成プログラム２５２とは、商品およびＰＯＰレイアウトを含む指示データ１００を作成する指示データ作成手段として機能する。
売場分析・商品抽出プログラム２５３は、ＰＯＳシステムと連携して、売場の販売実績を分析し、当日の特売商品、季節物等の企画催事商品、新入荷商品、在庫一掃商品を抽出条件として、サーバ装置２０が設置されている本部にて売場を改善したい商品を抽出するプログラムである。
【００３５】
次に、図４、図５、図６を参照して、ＰＯＰ作成システム１で扱う情報を説明する。図４は、指示データ１００の構成を示す図である。図５は、報告データ２００の構成を示す図である。図６は、ＰＯＰレイアウトデータ３００の構成を示す図である。
【００３６】
図４に示す指示データ１００は、サーバ装置２０で作成される。作成された指示データ１００は、ＰＯＰ作成装置１０に送信され、ＰＯＰ作成装置１０の記憶部１５に記憶される。指示データ１００は、店舗、売場毎に作成され、当該店舗、売場の商品に関する情報を有する。指示データ１００は改善対象商品を抽出し、店舗へ指示するためのデータである。
【００３７】
指示データ１００は、ヘッダ部分１０１と、商品明細部部分１０２とから構成されている。ヘッダ部分１０１は、店舗の情報（例えば、ＩＤ、店舗名）やジャンル、日付等の情報が格納される部分である。
商品明細部分１０２は、改善指示を行おうとする商品コード、商品、価格、改善区分、ＰＯＰ種別に関する情報を有する。商品明細部分１０２には、抽出した商品情報（商品コード、商品名、売価、改善区分等）と共に本部が指示するレイアウト名称がリスト形式で格納される。ここで、レイアウト名称は、ＰＯＰレイアウト３００を示す。
商品明細部分１０２に登録される商品は、本部にて売場を改善したい商品として抽出されたものである。抽出する条件としては、当日の特売商品、季節物等の企画催事商品、新入荷商品、在庫一掃商品、および、販売実績を分析した結果から抽出される商品などである。
上記の店舗の情報や商品の情報に含まれるコードやＩＤはＰＯＳシステムやＰＯＰ作成システムのコード体系と連携できるものである。
【００３８】
図５に示す報告データ２００は、ヘッダ部分２０１と、報告内容部分２０２とから構成されている。ヘッダ部分２０１は、店舗の情報（例えば、ＩＤ、店舗名）やジャンル、日付、担当者等の情報および改善された売場の画像データが格納される部分である。
報告内容部分２０２は、実際に行ったＰＯＰの改善内容、その他の変更点（ＰＯＰ以外の改善点や気づいた点など）である。その他の変更点、気づいた点の報告の方法は撮影した画像に直接記入する方法と、テキスト入力方法が可能である。
報告データ２００は、作成したＰＯＰを活用して売場を改善した後、改善された売場を写真撮影したデータ、改善した箇所や気づいた点をメモとして追記したテキストデータ等である。
報告データ２００は、ＰＯＰ作成装置１０で作成され、サーバ装置２０に送られる。
【００３９】
図６に示すＰＯＰレイアウトデータ３００は、ヘッダ部分３０１と、レイアウト部分３０２とから構成されている。ヘッダ部分３０１は、レイアウト名称および用紙サイズが格納される部分である。レイアウト部分３０２は、レイアウトに関する情報が格納されている。ＰＯＰレイアウトデータ３００は、ＰＯＰ作成装置１０のＰＯＰ作成データ記憶部１５６またはサーバ装置２０のＰＯＰレイアウトデータ記憶部２５４に記憶されている。
図７は、ＰＯＰレイアウトデータ３００のレイアウト部分３０２に対応する一例を示す図である。図７では、広告（Ｂ８）、広告（Ｂ６Ｈ）等がレイアウト名称である。
【００４０】
次に、本実施形態に係るＰＯＰ作成システム１の動作について説明する。
まず、ＰＯＰ作成装置１０の動作について説明する。
図８、図９は、ＰＯＰ作成装置１０によるＰＯＰ作成までのフローを示す図である。図１０は、ＰＯＰ作成装置１０により、ＰＯＰ作成後に実施される改善後報告のフローを示す図である。
以下、ＰＯＰ作成装置１０による処理について図８〜図１０を参照して説明する。これらの処理は、ＣＰＵ１１と記憶部１５に記憶されている各種プログラムとの協働により実行される。
【００４１】
図８において、ＣＰＵ１１は、先ず、通信部１６を介してサーバ装置２０から指示データ１００を受信する（ステップＳ１）。
【００４２】
ステップＳ２にて、店舗担当者は、サーバ装置２０からの指示データ１００の改善指示を確認する。
【００４３】
次にステップＳ３にて、ＣＰＵ１１は、指示データ１００を１件読み込む。
【００４４】
ステップＳ４では、ＣＰＵ１１は、指定されたＰＯＰレイアウトデータ３００が店舗端末としてのＰＯＰ作成装置１０に有るか否か判断し、指定されたＰＯＰレイアウトデータ３００がＰＯＰ作成装置１０に有れば「ＹＥＳ」へ分岐してステップＳ６に移行する。無ければ、「ＮＯ」へ分岐してステップＳ５に移行する。
【００４５】
ステップＳ５では、ＣＰＵ１１は、ＰＯＰレイアウトデータ３００をサーバ装置２０から取得する。
【００４６】
ステップＳ６では、ＣＰＵ１１は、ＰＯＰ作成装置１０に有る、または、サーバ装置２０より取得したＰＯＰレイアウトデータ３００を読み込む。
【００４７】
ステップＳ７では、ＣＰＵ１１は、ＰＯＰ作成プログラム１５２にてＰＯＰイメージを生成する。ＰＯＰイメージは指示データ１００のＰＯＰのレイアウト名称、ＰＯＰレイアウトデータ３００、フォントなどから生成される。
【００４８】
ステップＳ８にて、ＣＰＵ１１は、指示商品が他に有るか否かを確認する。指示商品が終わりであれば、「ＹＥＳ」へ移行してステップＳ９に移行する。指示商品が終わりでなければ、「ＮＯ」へ移行してステップＳ３に移行する。
【００４９】
ステップＳ９にて、ＣＰＵ１１は、ＰＯＰイメージ一覧を表示する。
【００５０】
図９に示す、ステップＳ１０にて、ＣＰＵ１１は、ＰＯＰを掲示することによって改善すべき売場の画像をＰＯＰ作成装置１０の画像撮影部１８を用いて撮影する。
【００５１】
ステップＳ１１にて、ＣＰＵ１１は、画像合成プログラム１５３を実行して、選択された該当売場配置ＰＯＰイメージと売場画像とを合成する。
【００５２】
ステップＳ１２にて、ＣＰＵ１１は、店舗担当者の入力指示に基づき、ＰＯＰレイアウトはそのままで良いか否かを判断する。良いと判断したら「ＹＥＳ」へ分岐してステップＳ１６に移行する。良くないと判断したら「ＮＯ」へ分岐してステップＳ１３に移行する。
【００５３】
ステップＳ１３にて、ＣＰＵ１１は、店舗担当者の入力指示に基づき、ＰＯＰレイアウトを図７に示すレイアウト一覧を表示させ、ステップＳ１４にて、ＰＯＰレイアウトを変更する。すなわち、ＰＯＰイメージを再作成する。そして、ステップＳ１５にて、変更ＰＯＰイメージを売場写真に合成する。
【００５４】
ステップＳ１６にて、ＣＰＵ１１は、ＰＯＰイメージが全て合成されたか否かを判断し、全て合成されていなければ「ＮＯ」へ分岐してステップＳ１１に移行し、全て合成されていれば「ＹＥＳ」へ分岐してステップＳ１７に移行する。
【００５５】
ステップＳ１７では、ＣＰＵ１１は、報告データ作成プログラム１５４を実行して報告データ２００を作成する。指示データ１００からの変更点は、自動的に報告データ２００として作成される。すなわち、報告データ作成プログラム１５４は、ＰＯＰ変更内容を、指示によるデータ（元データ）と出力データ（現データ）を比較した差分より、自動的に報告データ２００へ反映させる。また、画像合成プログラム１５３を実行して作成されたＰＯＰイメージと売場画像との合成画像は、報告データ２００に自動的に添付される。
そして、売場合成画像を含む報告データ２００をサーバ装置２０に送信する。
【００５６】
ステップＳ１８では、報告データ２００にて改善後イメージを確認する。具体的には、サーバ装置２０を操作する本部スタッフは送信されてきた画像から店舗売場にＰＯＰを配置したイメージ、店舗担当者の変更内容を確認しながら、必要に応じて、ＰＯＰ作成装置１０を操作する店舗担当者と本部スタッフとがＰＯＰ作成装置１０とサーバ装置２０を接続するビデオ会議機能を用いて、情報交換し、本部スタッフは店舗担当者に改善内容を指示する。ただし、お互いの顔は見える必要はないので、タブレッド端末のカメラで現場を写して、本部スタッフの方で画像を見たり、その画像に対して書き込みをしたり、その画像を見ての指示を出すことが可能である。その他、音声通話、画像への書き込み、テキスト等様々な形態が可能である。
【００５７】
ビデオ会議機能を用いることにより、例えば野菜のＰＯＰを作る指示が来た場合、店舗担当者が野菜の売り場の画像を本部スタッフに送ることによって、この場所に掲示しましょうかとか、このＰＯＰも作った方が良いのではないでしょうかとった情報の授受をリアルタイムで行うことができる。
【００５８】
ステップＳ１９にて、ＣＰＵ１１は、店舗担当者の入力指示に基づき、改善内容はＯＫか否か判断する。改善内容がＯＫであれば「ＹＥＳ」へ分岐してステップＳ２０に移行する。改善内容がＯＫでなければ「ＮＯ」へ分岐してステップＳ１に移行する。
【００５９】
ステップＳ２０では、ＣＰＵ１１は、店舗担当者の入力指示すなわち、ＰＯＰ作成装置１０の入力部１２の図示しない確定ボタンが押されることに基づき、ＰＯＰ作成を確定させる。
【００６０】
ステップＳ２１では、ＣＰＵ１１は、確定ボタンで確定された時点における、ＰＯＰ変更内容を、指示によるデータ（元データ）と確定された出力データ（現データ）を比較した差分より、自動的に報告データ２００へ出力して確定させる。
【００６１】
なお、ＰＯＰ作成・掲示を先に行い、売場合成画像を含む報告データ２００をサーバ装置２０に送信するのは後という運用を行ってもよい。すなわち、本部スタッフの確認は事後とする運用でも良い。
【００６２】
ステップＳ２２では、ＣＰＵ１１は、ＰＯＰデータの出力を一括にするか、または、選択するか判断する。店舗担当者がＰＯＰ作成装置１０の入力部１２により選択を選ぶとＣＰＵは、ステップＳ２３に移行させる。一方、店舗担当者がＰＯＰ作成装置１０の入力部１２により一括を選ぶとＣＰＵ１１は、ステップＳ２４に移行させる。
【００６３】
ステップＳ２３にて、ＣＰＵ１１は、ＰＯＰ一覧表示を行う。店舗担当者はＰＯＰ作成装置１０の入力部１２により所定の選択を行う。
【００６４】
ステップＳ２４にて、ＣＰＵ１１は、一括または選択されたＰＯＰを出力する。出力先は例えば、図示しないプリンタである。そして本処理は終了する。以上が、ＰＯＰ作成装置１０によるＰＯＰ作成までの処理の動作説明である。
【００６５】
次に、図１０を参照して、ＰＯＰ作成装置１０によるＰＯＰ作成後に実施される改善後報告の処理について説明する。
【００６６】
ステップＳ３１では、ＣＰＵ１１は、報告データ作成プログラム１５４を実行して改善報告処理を開始する。
ステップＳ３２では、ＣＰＵ１１は、画像撮影部１８により、改善された売場等を写真撮影し、撮影した画像データを報告データ２００に添付する。なお、売場画像にＰＯＰイメージを合成した合成画像は既に報告データ２００に添付されている。
ステップＳ３３では、ＣＰＵ１１は、報告データ作成プログラム１５４を実行して、店舗担当者の入力部１２からの入力に基づき、改善項目メモ（改善した箇所や気づいた点）をＰＯＰ作成装置１０に記録する。なお、指示データ１００からの確定時点での変更点は、自動的に報告データ２００に反映されている。
【００６７】
ステップＳ３４では、ＣＰＵ１１は、報告データ２００をサーバ装置２０に向けて送信する。そして本処理を終了する。
【００６８】
図１１は、ＰＯＰ作成装置１０の表示画面の一例を示す図である。図１１に示すように、ＰＯＰ作成装置１０は、売場で携帯して使用できるように、タブレット型の端末を想定している。図１０におけるＰＯＰ作成装置１０の画面には、ＰＯＰレイアウト一覧表示領域１４１、ＰＯＰ編集機能表示領域１４２、売場シミュレーション画面表示領域１４３、ＰＯＰ一覧表示領域１４４が表示されている。
ＰＯＰレイアウト一覧表示領域１４１は、報告データ２００のＰＯＰレイアウトデータが一覧表示される領域である。ＰＯＰ編集機能表示領域１４２は、ＰＯＰ作成プログラム１５２によるＰＯＰ編集機能表示領域であり、上段には、作成中のＰＯＰの画面が表示される。売場シミュレーション画面表示領域１４３は、画像撮影部１８で撮影されて売場画像にＰＯＰデータをドラッグ＆ドロップ１４５にて合成している様子が示されている。これにより、売場へのＰＯＰ掲示をシミュレーションすることができる。
【００６９】
次に、サーバ装置２０の処理に関する動作を説明する。この処理は、ＣＰＵ２１と記憶部２５に記憶されている各種プログラムとの協働により実行される。
【００７０】
サーバ装置２０のＣＰＵ２１は、指示データ作成プログラム２５２を実行して指示データ１００を作成し、所定の店舗のＰＯＰ作成装置１０に向けて送信する。その際、売場分析・商品抽出プログラム２５３を用いて商品、売場を分析して改善指示の参考に供する。
【００７１】
また、サーバ装置２０のＣＰＵ２１は、ＰＯＰレイアウト作成プログラム２５１で作成されたＰＯＰレイアウトデータ３００を記憶するＰＯＰレイアウトデータ記憶部２５４、指示データ作成プログラム２５２で作成される指示データ１００を記憶する指示データ記憶部２５５、ＰＯＰ作成装置１０から送信される報告データ２００を記憶する報告データ記憶部２５６をそれぞれ有しており、作成されたＰＯＰレイアウトデータ３００、指示データ１００、ＰＯＰ作成装置１０から送信される報告データ２００がそれぞれ記憶される。
【００７２】
サーバ装置２０に他のＰＯＰ作成装置１０から送信される報告データ２００が記憶されれば、他店の改善内容を参考とすることができる。
【００７３】
以上のように、本実施形態に係るＰＯＰ作成装置１０及びＰＯＰ作成装置１０に実装されるプログラムによれば、サーバ装置２０から送信された商品情報およびＰＯＰレイアウトを含む指示データ１００を受信する受信手段１１、１６と、受信した指示データ１００に基づいてＰＯＰイメージを生成するＰＯＰ作成手段１１、１５２と、ＰＯＰが掲示されるべき売場を撮影して売場画像を取得する画像撮影部１８と、画像撮影部１８にて取得された売場画像にＰＯＰイメージを合成した合成画像を生成する画像合成手段１１、１５３と、合成画像を含む報告データ２００を作成する報告データ作成手段１１、１５４と、作成された報告データ２００をサーバ装置２０に送信する送信手段１１、１６、を備えている。
これにより、指示部門である本部スタッフの指示を基にしつつ、画像合成手段により売場にＰＯＰを掲示したシミュレーションを行うことが出来るので、指示部門の指示に売場の状況が加味されたＰＯＰを容易に作成することが出来る。
また、ＰＯＰ作成装置１０は可搬性の高いタブレット型の装置とすることができるので、店舗担当者が売場を離れることなく、ＰＯＰを作成でき、より売場の作業に専念して売場の改善作業を行えるという利点がある。
【００７４】
また、ＰＯＰ作成手段１１、１５２は、ＰＯＰレイアウトを変更するレイアウト変更手段を有し、レイアウト変更手段により変更されたＰＯＰレイアウトによりＰＯＰイメージを生成し、報告データ作成手段１１、１５４は、指示データ１００に含まれるＰＯＰレイアウトと変更手段により変更された後のＰＯＰレイアウトとの差分を示す差分データを作成し、当該差分データを報告データ２００に含めるように構成されている。
これにより、報告データ２００が簡単・正確に作成することができる。
【００７５】
また、ＰＯＰ作成装置１０は、改善情報を入力する入力部１２を備え、改善報告作成手段１１、１５４は、入力部１２により入力された改善情報を報告データ２００に含めるように構成されている。
これにより、サーバ装置２０を操作する本部側では、ＰＯＰ修正・変更以外の付随した売場改善項目等が入手できるので、本部の意図するところとなっているかを確認することができ、再度指示の精度を高めることができる。より売り場に即した指示ができる。
【００７６】
また、指示データは、商品を販売する店舗に関する情報と、日付け情報、商品に関する情報を含む、ように構成されている。
これにより、サーバ装置を操作する本部側では、店舗別管理を容易に行うことができる。また、サーバ装置２０の改善報告データ記憶部２５６に他のＰＯＰ作成装置１０から送信される報告データ２００が記憶されれば、ＰＯＰ作成装置１０を操作する店舗担当者は、他店の改善内容を参考とすることができる。
【００７７】
また、本実施形態に係るＰＯＰ作成システム１によれば、サーバ装置２０とＰＯＰ作成装置１０とが通信回線Ｎを介して接続されるＰＯＰ作成システム１において、サーバ装置２０は、商品情報およびＰＯＰレイアウトを含む指示データ１００を作成する指示データ作成手段２１、２５２と、商品およびＰＯＰレイアウトを含む指示データをＰＯＰ作成装置１０に送信するサーバ装置送信手段２１、２６と、を備え、ＰＯＰ作成装置１０は、指示データ１００を受信する受信手段１１、１６と、受信した指示データに基づいてＰＯＰイメージを生成するＰＯＰ作成手段１１、１５２と、ＰＯＰが掲示されるべき売場を撮影して売場画像を取得する画像撮影部１８と、画像撮影部１８にて取得された売場画像にＰＯＰイメージを合成した合成画像を生成する画像合成手段１１、１５３と、合成画像を含む報告データ２００を作成する報告データ作成手段１１、１５４と、作成された報告データ２００をサーバ装置２０に送信する送信手段１１、１６と、を備えるように構成されている。
これにより、指示部門の指示に売場の状況が加味されたＰＯＰを容易に作成することができる。
また、店舗担当者が売場を離れることなく、ＰＯＰを作成でき、より売場の作業に専念して売場の改善作業を行えるという利点がある。
また、合成画像を含む報告データ２００をサーバ装置２０に送信されることにより、本部スタッフでも売場の状況を把握できる。
【００７８】
なお、本発明は、上記実施の形態に限られるものではなく、様々な変更が可能である。例えば、本実施形態では、改善対象の商品は単品で説明したが、単品だけでなくジャンル（青果、鮮魚等）の指定でも良い。たとえば、改善対象商品として、トマト等の単品でなく、もっと大きなジャンルで野菜や、魚売り場を対象とする指示でも良い。
【００７９】
また、ＰＯＰの掲示は、紙媒体を想定して説明したが、紙媒体のみでなくサイネージ等の電子ディスプレイに表示しても良い。
【００８０】
また、報告データ１００の自動作成は、指示データ１００に含まれるＰＯＰレイアウト（元データ）と変更された後のレイアウト（現データ）を比較した差分より、自動的に報告データ１００として作成させると説明したが、データ同士の比較による方法だけでなく、操作のログから作成する方法としても良い。
【００８１】
本発明の実施形態を説明したが、本発明の範囲は上述の実施の形態に限定するものではなく、特許請求の範囲に記載された発明とその均等の範囲に含まれる。以下に、本願出願の当初の特許請求の範囲に記載された発明を付記する。
［付記］
＜請求項１＞
サーバ装置から送信された商品情報およびＰＯＰレイアウトを含む指示データを受信する受信手段と、
受信した指示データに基づいてＰＯＰイメージを生成するＰＯＰ作成手段と、
ＰＯＰが掲示されるべき売場を撮影して売場画像を取得する撮影手段と、
前記撮影手段にて取得された前記売場画像に前記ＰＯＰイメージを合成した合成画像を生成する画像合成手段と、
前記合成画像を含む報告データを作成する報告データ作成手段と、
作成された前記報告データをサーバ装置に送信する送信手段と、
を備えることを特徴とするＰＯＰ作成装置。
＜請求項２＞
前記ＰＯＰ作成手段は、ＰＯＰレイアウトを変更するレイアウト変更手段を有し、前記レイアウト変更手段により変更されたＰＯＰレイアウトにより前記ＰＯＰイメージを生成し、
前記報告データ作成手段は、前記指示データに含まれるＰＯＰレイアウトと前記変更手段により変更された後のＰＯＰレイアウトとの差分を示す差分データを作成し、当該差分データを前記報告データに含めることを特徴とする請求項１記載のＰＯＰ作成装置。
＜請求項３＞
改善情報を入力する入力手段を備え、
前記報告データ作成手段は、前記入力手段により入力された改善情報を前記報告データに含めることを特徴とする請求項１又は２に記載のＰＯＰ作成装置。
＜請求項４＞
前記指示データは、前記商品を販売する店舗に関する情報と、日付け情報、前記商品に関する情報を含む、
ことを特徴とする、請求項１〜３の何れか一項に記載のＰＯＰ作成装置。
＜請求項５＞
サーバ装置とＰＯＰ作成装置とが通信回線を介して接続されるＰＯＰ作成システムにおいて、
前記サーバ装置は、
商品情報およびＰＯＰレイアウトを含む指示データを作成する指示データ作成手段と、
前記指示データを前記ＰＯＰ作成装置に送信するサーバ装置送信手段と、を備え、
前記ＰＯＰ作成装置は、
前記指示データを受信する受信手段と、
受信した前記指示データに基づいてＰＯＰイメージを生成するＰＯＰ作成手段と、
ＰＯＰが掲示されるべき売場を撮影して売場画像を取得する撮影手段と、
前記撮影手段にて取得された前記売場画像に前記ＰＯＰイメージを合成した合成画像を生成する画像合成手段と、
前記合成画像を含む報告データを作成する報告データ作成手段と、
作成された前記報告データをサーバ装置に送信する送信手段と、
を備えることを特徴とするＰＯＰ作成システム。
＜請求項６＞
ＰＯＰ作成を行うコンピュータを、
サーバ装置から送信された商品情報およびＰＯＰレイアウトを含む指示データを受信する受信手段、
受信した指示データに基づいてＰＯＰイメージを生成するＰＯＰ作成手段、
ＰＯＰが掲示されるべき売場を撮影して売場画像を取得する撮影手段にて取得された前記売場画像に前記ＰＯＰイメージを合成した合成画像を生成する画像合成手段、
前記合成画像を含む報告データを作成する報告データ作成手段、
作成された前記報告データをサーバ装置に送信する送信手段、
として機能させるプログラム。
【符号の説明】
【００８２】
１      ＰＯＰ作成システム
１０    ＰＯＰ作成装置
２０    サーバ装置
１１、２１  ＣＰＵ
１２、２２  入力部
１３、２３  ＲＡＭ
１４、２４  表示部
１５、２５  記憶部
１６、２６  通信部
１７、２７  音声入出力部
１８      画像撮影部
１９、２８  バス
【図１】
2017123181.tif 000003
【図２】
2017123181.tif 000004
【図３】
2017123181.tif 000005
【図４】
2017123181.tif 000006
【図５】
2017123181.tif 000007
【図６】
2017123181.tif 000008
【図７】
2017123181.tif 000009
【図８】
2017123181.tif 000010
【図９】
2017123181.tif 000011
【図１０】
2017123181.tif 000012
【図１１】
2017123181.tif 000013
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
シミュレーション画像を表示制御する表示制御装置であって、
所定場所に配置すべき対象物の対象画像を、複数の対象物の対象画像の中から任意に選択する選択手段と、
前記選択手段で選択した前記対象画像を前記所定場所における状態を俯瞰して示す場所画像内に合成配置したシミュレーション画像を生成して表示するよう制御する表示制御手段と、
前記シミュレーション画像に基づいて前記選択の対象画像が前記所定場所における画像として適切な対象物の画像と判別されたことを条件に、前記選択の対象画像に対応する前記対象物の選択を確定するよう制御する制御手段と、
を具備したことを特徴する表示制御装置。
【請求項２】
前記選択の対象画像が前記所定場所における画像として適切か否かを、前記シミュレーション画像に基づいて判別可能とし、適切ではないと判別された場合には、前記選択の対象画像を前記対象物とは異なる他の対象物の第２対象画像に変更する変更手段と、
を更に具備し、
前記表示制御手段は、前記変更手段で変更された前記第２対象画像を前記所定場所の場所画像内に合成配置することで、前記所定場所に配置されるべき対象物を変更したシミュレーション画像を表示するよう制御する、
ことを特徴する請求項１に記載の表示制御装置。
【請求項３】
前記制御手段は、前記変更手段で変更された前記第２対象画像が前記所定場所における画像として適切な対象物か否かを、前記第２対象画像に変更された変更後のシミュレーション画像に基づいて判別可能とし、適切と判別されたことを条件に、前記選択の第２対象画像に対応する対象物の選択を確定するよう制御する、
ことを特徴とする請求項２に記載の表示制御装置。
【請求項４】
所定場所に配置すべき対象物の対象画像を、複数の対象物の対象画像の中から任意に選択する選択ステップと、
前記選択ステップで選択した前記対象画像を前記所定場所における状態を俯瞰して示す場所画像内に合成配置したシミュレーション画像を生成して表示するよう制御する表示制御ステップと、
前記シミュレーション画像に基づいて前記選択の対象画像が前記所定場所における画像として適切な対象物の画像と判別されたことを条件に、前記選択の対象画像に対応する前記対象物の選択を確定するよう制御する制御ステップと、
からなる表示制御方法。
【請求項５】
シミュレーション画像を表示制御する表示制御装置のコンピュータを制御するためのプログラムであって、
前記コンピュータを、
所定場所に配置すべき対象物の対象画像を、複数の対象物の対象画像の中から任意に選択する選択手段、
前記選択手段で選択した前記対象画像を前記所定場所における状態を俯瞰して示す場所画像内に合成配置したシミュレーション画像を生成して表示するよう制御する表示制御手段、
前記シミュレーション画像に基づいて前記選択の対象画像が前記所定場所における画像として適切な対象物の画像と判別されたことを条件に、前記選択の対象画像に対応する前記対象物の選択を確定するよう制御する制御手段、
として機能させるようにしたプログラム。
【手続補正３】
【補正対象書類名】明細書
【補正対象項目名】０００１
【補正方法】変更
【補正の内容】
【０００１】
本発明は、シミュレーション画像を表示制御する表示制御装置、表示制御方法及びプログラムに関する。
【手続補正４】
【補正対象書類名】明細書
【補正対象項目名】０００５
【補正方法】変更
【補正の内容】
【０００５】
本発明の目的は、所定場所におけるシミュレーション画像を参照することで適切な対象物を選択できるようにすることにある。
【手続補正５】
【補正対象書類名】明細書
【補正対象項目名】０００６
【補正方法】変更
【補正の内容】
【０００６】
請求項１は、シミュレーション画像を表示制御する表示制御装置であって、所定場所に配置すべき対象物の対象画像を、複数の対象物の対象画像の中から任意に選択する選択手段と、前記選択手段で選択した前記対象画像を前記所定場所における状態を俯瞰して示す場所画像内に合成配置したシミュレーション画像を生成して表示するよう制御する表示制御手段と、前記シミュレーション画像に基づいて前記選択の対象画像が前記所定場所における画像として適切な対象物の画像と判別されたことを条件に、前記選択の対象画像に対応する前記対象物の選択を確定するよう制御する制御手段と、を具備したことを特徴する。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
本発明によれば、所定場所におけるシミュレーション画像を参照することで適切な対象物を選択できる。